(57)【要約】【課題】単に運動メニューを提案するだけでなく、真に健康な体作りを支援することが可能な健康管理支援システム等を提供する。【解決手段】管理サーバ２００は、運動支援情報の作成と並行して、おすすめレシピ情報の作成を行う。詳述すると、管理サーバ２００は、ユーザによって選択された昼食メニューをもとに摂取した栄養素、カロリーなどを計算するとともに、受信したエクササイズデータをもとに本日の消費カロリーなどを計算する。管理サーバ２００は、このようにして計算した摂取カロリーや消費カロリー、さらにはレシピデータベース２４０に登録されているレシピ情報などを参照し、おすすめレシピ情報を作成し、これをリーダ・ライタ４００に返信する。【選択図】図１
2012073872.tif 000002
【特許請求の範囲】
【請求項１】
ユーザの運動量を計測する計測手段から、前記ユーザの運動量をあらわすエクササイズデータを取得する第１取得手段と、
前記ユーザが摂取した食事内容をあらわす摂取メニュー情報を取得する第２取得手段と、
前記エクササイズデータと、前記摂取メニュー情報に基づき、前記ユーザに適した運動アドバイスをあらわす運動支援情報を作成する第１作成手段と、
前記エクササイズデータと、前記摂取メニュー情報に基づき、前記ユーザに適した今後の食事メニューをあらわすおすすめレシピ情報を作成する第２作成手段と、
前記運動支援情報と前記おすすめレシピ情報を前記ユーザに報知する報知手段と
を具備することを特徴とする健康管理支援装置。
【請求項２】
前記ユーザの個人情報を記憶する第１記憶手段と、
前記運動支援情報の作成指針となる運動ガイドライン情報を記憶する第２記憶手段とをさらに具備し、
前記第１作成手段は、
前記ユーザの個人情報と、前記エクササイズデータと、前記摂取メニュー情報と、前記運動ガイドライン情報に基づき、前記運動支援情報を作成することを特徴とする請求項１に記載の健康管理支援装置。
【請求項３】
前記おすすめレシピの作成指針となるレシピ情報を記憶する第３記憶手段をさらに具備し、
前記第２作成手段は、
前記ユーザの個人情報と、前記エクササイズデータと、前記摂取メニュー情報と、前記レシピ情報に基づき、前記おすすめレシピ情報を作成することを特徴する請求項１または２に記載の健康管理支援装置。
【請求項４】
前記ユーザの個人情報には、情報の送信先を指定する送信先アドレスが含まれ、
前記おすすめレシピ情報を前記送信先アドレスに送信する送信手段をさらに具備することを特徴とする請求項１〜３のいずれか１の請求項に記載の健康管理支援装置。
【請求項５】
特典付与の条件をあらわす付与条件情報を記憶する第４記憶手段と、
前記エクササイズデータに示される前記ユーザの運動量が、前記付与条件情報に示される特典付与の条件を満たしているか否かを判断する判断手段と、
前記ユーザの運動量が前記特典付与の条件を満たしていると判断された場合に、前記ユーザに前記特典を付与する特典付与手段と
をさらに具備することを特徴とする請求項１〜４のいずれか１の請求項に記載の健康管理支援装置。
【請求項６】
前記ユーザの個人情報には、前記ユーザの前記エクササイズデータの履歴情報が含まれていることを特徴とする請求項１〜５のいずれか１の請求項に記載の健康管理支援装置。
【請求項７】
ユーザの運度量を計測する計測装置と、前記計測装置との間で通信可能なリーダ端末と、前記リーダ端末と通信ネットワークを介して接続された管理サーバとを備えた健康管理システムであって、
前記リーダ端末は、
前記ユーザの運動量をあらわすエクササイズデータを読み取るリーダ手段と、
前記ユーザが摂取した食事内容をあらわす摂取メニュー情報を入力するための入力手段とを備え、
前記管理サーバは、
前記リーダ端末から前記エクササイズデータを取得する第１取得手段と、
前記リーダ端末から前記摂取メニュー情報を取得する第２取得手段と、
前記エクササイズデータと、前記摂取メニュー情報に基づき、前記ユーザに適した運動アドバイスをあらわす運動支援情報を作成する第１作成手段と、
前記エクササイズデータと、前記摂取メニュー情報に基づき、前記ユーザに適した今後の食事メニューをあらわすおすすめレシピ情報を作成する第２作成手段と、
前記運動支援情報と前記おすすめレシピ情報を前記リーダ端末に送信することで、当該運動支援情報と前記おすすめレシピ情報を前記ユーザに報知する報知手段と
を具備することを特徴とする健康管理支援システム。
【発明の詳細な説明】
【技術分野】
【０００１】
本発明は、特にユーザの継続的な健康増進を図るのに好適な健康管理支援装置および健康管理支援システムに関する。
【背景技術】
【０００２】
健康の維持や増進に対する関心は高く、歩数計を使用してウォーキングの際の歩数の一日の目標を定めて健康を維持しようとする者も多い。このような健康増進に対する関心の高まりを受け、ユーザの健康状態を示す指標（脈拍数など）を考慮しつつ、ユーザの健康増進のために適切と考えられる運動（ウォーキングなど）を処方することができるシステムが提案されている（例えば特許文献１参照）。
【先行技術文献】
【特許文献】
【０００３】
【特許文献１】特開２００４−２６１６０８号公報
【発明の概要】
【発明が解決しようとする課題】
【０００４】
しかしながら、上記に代表されるシステムは、運動の種類や運動量といった運動メニューを提案するにすぎない。このため、例えばユーザが偏った食生活をしていたとしても、ユーザの健康状態を示す指標に特に現れなければ運動メニューに変更等はなく、真に健康な体づくりを支援するという点では不十分であるという問題があった。
【０００５】
本発明は以上説明した事情を鑑みてなされたものであり、単に運動メニューを提案するだけでなく、真に健康な体作りを支援することが可能な健康管理支援装置等を提供することを目的とする。
【課題を解決するための手段】
【０００６】
本発明に係る健康管理支援装置は、ユーザの運動量を計測する計測手段から、前記ユーザの運動量をあらわすエクササイズデータを取得する第１取得手段と、前記ユーザが摂取した食事内容をあらわす摂取メニュー情報を取得する第２取得手段と、前記エクササイズデータと、前記摂取メニュー情報に基づき、前記ユーザに適した運動アドバイスをあらわす運動支援情報を作成する第１作成手段と、前記エクササイズデータと、前記摂取メニュー情報に基づき、前記ユーザに適した今後の食事メニューをあらわすおすすめレシピ情報を作成する第２作成手段と、前記運動支援情報と前記おすすめレシピ情報を前記ユーザに報知する報知手段とを具備することを特徴とする。
【０００７】
かかる構成によれば、ユーザの運動量をあらわすエクササイズデータと、ユーザが摂取した食事内容をあらわす摂取メニュー情報に基づき、ユーザに適した運動アドバイスをあらわす運動支援情報とともに、ユーザに適した今後の食事メニューをあらわすおすすめレシピ情報が作成され、ユーザに報知される。これにより、栄養バランスの偏った食生活が明らかとなれば、このような食生活を正すようなおすすめレシピ情報がユーザに提供されるため、真に健康な体作りを支援することが可能となる。
【発明の効果】
【０００８】
以上説明したように、本発明によれば、単に運動メニューを提案するだけでなく、真に健康な体作りを支援することが可能となる。
【図面の簡単な説明】
【０００９】
【図１】本実施形態に係る健康管理支援システムアーキテクチャを示す図である。
【図２】同実施形態に係る歩数計の構成を示す図である。
【図３】同実施形態に係る管理サーバの構成を示す図である。
【図４】同実施形態に係る会員情報データベースの登録内容を例示した図である。
【図５】同実施形態に係る特典付与情報を例示した図である。
【図６】同実施形態に係る登録チェック処理を示すフローチャートである。
【図７ａ】同実施形態に係るリーダ・ライタの表示画面を例示した図である。
【図７ｂ】同実施形態に係るリーダ・ライタの表示画面を例示した図である。
【図７ｃ】同実施形態に係るリーダ・ライタの表示画面を例示した図である。
【図７ｄ】同実施形態に係るリーダ・ライタの表示画面を例示した図である。
【図８】同実施形態に係るサービス処理のシーケンスを示す図である。
【図９ａ】同実施形態に係るリーダ・ライタの表示画面を例示した図である。
【図９ｂ】同実施形態に係るリーダ・ライタの表示画面を例示した図である。
【図１０】同実施形態に係るリーダ・ライタの表示画面を例示した図である。
【発明を実施するための形態】
【００１０】
以下、本発明の実施の形態について図面を参照しつつ詳細に説明する。
【００１１】
Ａ．本実施形態
（１）実施形態の構成
図１は、本実施形態に係る健康管理支援システム１００のアーキテクチャを示す図である。健康管理支援システム１００は、Ｗｅｂ上に設けられた管理サーバ２００と、通信ネットワーク（インターネットなど）３００を介して管理サーバ２００とデータを授受することが可能な複数のリーダ・ライタ４００と、近距離通信（無線通信や赤外線通信など）によりリーダ・ライタ４００とデータを授受することが可能な複数の歩数計５００とを備えている。
【００１２】
＜歩数計５００＞
図２は、歩数計５００の概略構成を示すブロック図である。
歩数計（計測手段、計測装置）５００は、ＣＰＵ５１０、ＲＯＭ５２０、ＲＡＭ５３０のほか、加速度センサ５４０、表示装置５５０、通信制御部５６０、操作パネル５７０などのハードウェア資源を備えている。
【００１３】
ＣＰＵ５１０は、ＲＯＭ５２０やＲＡＭ５３０に格納された各種制御プログラムを実行することにより、歩数計５００の全体を中枢的に制御する。
【００１４】
加速度センサ５４０は、ユーザの動きに応じて上下方向あるいは水平方向の加速度の変化を検出し、加速度変化をあらわす情報（以下、加速度情報）をＣＰＵ５１０に供給する。ＣＰＵ５１０は、加速度センサ５４０から供給される加速度情報などをもとに、歩数データなどを生成する。
【００１５】
ＩＣカードチップ５５０は、ＦｅｌｉＣａ（登録商標）などに準拠した非接触型ＩＣカードチップであり、リーダ・ライタ４００との間で非接触通信を実現する。ＩＣカードチップ５５０に内蔵されたメモリ５５０ａには、ＩＣカードチップを識別するためのユニークなＩＤ（以下、カード識別ＩＤ）が格納されている。
【００１６】
表示装置５６０は、例えば液晶パネルなどを備えており、ユーザの歩数をあらわす歩数データやユーザの歩幅、歩くスピード（歩速）など、歩数に関連するデータ（以下、エクササイズデータ）やリーダ・ライタ４００から供給される各種の情報（運動支援情報やおすすめレシピ情報など；詳細は後述）を表示する。
【００１７】
通信制御部５７０は、各種の通信インタフェースを備えており、歩数計５００に蓄積されたエクササイズデータなどをリーダ・ライタ４００に送信する一方、リーダ・ライタ４００から送信される運動支援情報やおすすめレシピ情報などを受信する。
【００１８】
操作部５８０は、各種の操作ボタンなどにより構成され、各ユーザに固有のＩＤ（以下、ユーザＩＤ）、生年月日、歩幅などの入力操作に利用される。各ユーザに固有のＩＤは、各ユーザが本システムを初めて利用する際に、初期設定として入力される（詳細は後述）。
【００１９】
＜リーダ・ライタ４００＞
リーダ・ライタ４００は、例えば本システムを採用する各会社の社員食堂やカフェテリアなどに設置されている。リーダ・ライタ４００は、ＣＰＵ、メモリ、通信装置、ＬＣＤなどの表示装置等のハードウェア資源を備えており、通信ネットワーク３００を介して管理サーバ２００に接続されている。リーダ・ライタ４００は、ＩＣカードチップ５５０が搭載された歩数計５００との間で非接触通信を行い、歩数計５００から送信されるエクササイズデータを通信ネットワーク経由で管理サーバ２００に送信する一方、管理サーバ２００から送信される運動支援情報やおすすめレシピ情報などを通信ネットワーク経由で歩数計５００に送信する。
【００２０】
なお、リーダ・ライタ４００の設置数や設置箇所などは、本システムの設計などに応じて適宜設定・変更可能である。また、本実施形態では、歩数計５００とリーダ・ライタ４００とが無線通信によりデータの授受を行う場合を想定するが、例えば赤外線通信や有線通信によりデータの授受を行ってもよい。
【００２１】
＜管理サーバ２００＞
管理サーバ（健康管理支援装置）２００は、例えばサーバコンピュータなどによって構成され、管理下にある各リーダ・ライタ４００、各歩数計５００を統括管理する役割を担っている。管理サーバ２００は、会員情報データベース２１０、メニュー情報データベース２２０、運動支援情報データベース２３０、レシピデータベース２４０、特典情報データベース２５０を備えており、当該サーバを構成する各ハードウェア資源がメモリに格納されたソフトウェアと協働して動作することにより、以下に示す各機能を実現する。
【００２２】
図３は、管理サーバ２００の機能構成を示すブロック図である。
管理サーバ２００は、会員登録・管理手段２６０ａ、商品メニュー管理手段２６０ｂ、運動支援情報作成手段２６０ｃ、レシピ情報作成手段２６０ｄ、特典付与手段２６０ｅを備えている。
【００２３】
会員登録・管理手段（第１取得手段）２６０ａは、本システムを利用するユーザ（すなわち、会員ユーザ）の個人情報を会員情報データベース（第１記憶手段）２１０に登録・管理する役割を担っている。
図４は、会員情報データベース２１０の登録内容を例示した図である。
会員情報データベース２１０には、各歩数計５００を識別するためのカード識別ＩＤと、当該歩数計５００を所持するユーザの個人情報とが対応づけて登録されている。
【００２４】
ユーザの個人情報には、ユーザＩＤ、生年月日、身長、体重、住所、情報配信先アドレス、最新のエクササイズデータ、エクササイズデータの履歴情報、特典付与の履歴情報が含まれている。上述したように、ユーザＩＤなどは、ユーザが本システムを利用するために必要な情報である。ユーザは、歩数計５００をリーダ・ライタ４００にかざした状態で、歩数計５００からユーザＩＤ（例えばsumitomo20）、生年月日（例えば2000年1月1日）などを入力する。歩数計５００は、ユーザＩＤが入力されると、ＩＣカードチップ５５０のメモリ５５０ａに格納されたカード識別ＩＤ（例えばCD−00001）を読み出し、読み出したカード識別ＩＤとともにユーザＩＤ、生年月日をリーダ・ライタ４００に送信する。リーダ・ライタ４００は、歩数計５００からカード識別ＩＤとユーザＩＤ、生年月日を受け取ると、これを通信ネットワーク経由で管理サーバ２００に送信する。管理サーバ２００の会員登録・管理手段２６０ａは、リーダ・ライタ４００から受信したカード識別ＩＤとユーザＩＤと生年月日を対応づけて会員情報データベース２１０に登録する。
【００２５】
なお、伸長、体重、住所、情報配信先アドレス（例えば自身の携帯電話や妻の携帯電話など）、については、ユーザＩＤや生年月日と同様、ユーザが歩数計５００を利用して管理サーバ２００の会員情報データベース２１０に登録しても良いが、例えばユーザが自身のパーソナルコンピュータ（以下、ＰＣと略称）６００などを利用して登録しても良い（図1参照）。具体的にはユーザが自身のＰＣ６００を利用して管理サーバ２００にアクセスし、ユーザＩＤと生年月日を入力することでユーザ認証を行う。認証に成功すると、当該ユーザのマイページがＰＣ６００に表示され、伸長、体重、住所、情報配信先アドレスといった個人情報の入力が可能となる。その後、ユーザが自身のＰＣ６００を操作して個人情報の入力を行うと、入力された個人情報はＰＣ６００から管理サーバ２００宛に送信され、会員登録・管理手段２６０ａによって会員情報データベース２１０に登録される。
【００２６】
一方、最新のエクササイズデータ、エクササイズデータの履歴情報（例えば過去1ヶ月間のエクササイズデータなど）、特典付与の履歴情報（例えば過去1年間の特典付与の状況など）については、歩数計５００からリーダ・ライタ４００を介して管理サーバ２００に受信される。管理サーバ２００が受信した最新のエクササイズデータ、エクササイズデータの履歴情報、特典付与の履歴情報は、会員登録・管理手段２６０ａによって会員登録データベース２１０に登録または更新される。なお、各履歴情報について、いずれの種類の情報をどれ位の期間保存しておくかは、任意に設定変更可能である。
【００２７】
商品メニュー管理手段（第２取得手段）２６０ｂは、ユーザに提供される食事メニュー（以下では昼食メニューを想定）をメニュー情報データベース２２０に登録し、管理する役割を担っている。
メニュー情報データベース２２０に登録される昼食メニュー情報は、例えば前日の夜に食堂を運営する営業者が入力端末（図示略）を利用して入力する。入力された昼食メニュー情報は、入力端末から管理サーバ２００に送信され、商品メニュー管理手段２６０ｂによってメニュー情報データベース２２０に登録される。ここで、メニュー情報データベース２２０に登録される昼食メニュー情報には、メニューの名前（例えばメニューＡ）のほか、料理のジャンル（例えばジャンルＢ）、カロリー、栄養素、原価などをあらわす情報が含まれている。
【００２８】
運動支援情報作成手段（第１作成手段）２６０ｃは、歩数計５００から送信されるエクササイズデータ（例えば歩数＝5000歩）や、ユーザによって選択された昼食メニュー（例えばメニューＡ）、さらには運動支援情報データベース（第２記憶手段）２３０に登録されている運動ガイドライン情報などに基づき、当該ユーザの運動を支援するメッセージ（すなわち運動支援情報）を作成する。運動支援情報作成手段２６０ｃが作成する運動支援情報としては、例えば（１）〜（４）に示すものが考えられる。なお、運動支援情報の作成に関する詳細は後述する。
【００２９】
＜運動支援情報の例＞
（１）「少しペースダウン気味。別のフロアのトイレを利用し歩数をかせぐべし。」
（２）「順調なペース。継続は力なり。いまの状態を維持せよ。」
（３）「目標達成まで、あと2万歩。今のペースだと3日で到達できるぞ。」
（４）「雨の多い時期は、階段の利用が効果的だ。」
【００３０】
レシピ情報作成手段（第２作成手段）２６０ｄは、歩数計５００から送信されるエクササイズデータ（例えば歩数＝5000歩）や、ユーザによって選択された昼食メニュー（例えばメニューＡ）、さらにはレシピデータベース（第３記憶手段）２４０に登録されているレシピ情報（例えばディナーＢのレシピなど）などに基づき、当該ユーザの夕食の献立などあらわすおすすめレシピ情報を作成する。おすすめレシピ情報は、エクササイズデータをもとに計算した本日の消費カロリー、選択された昼食メニューをもとに計算したユーザの摂取カロリーなどに基づいて作成される情報であり、例えば以下に示すものが考えられる。なお、おすすめレシピ情報の作成に関する詳細は後述する。
【００３１】
＜レシピ情報の例＞
1日の適正カロリー：1,600kcal
本日の消費カロリー：2,200kcal（+600kcal）
「肉類を取ってたんぱく質を補給!!
おすすめレシピ：豚肉と野菜の鉄板焼き」
※適正カロリー（エネルギー）＝標準体重（身長×身長×22）×25〜30(kcal)
例：身長170cmの場合  1.7m×1.7m×22×25〜30＝1590〜1900kcal
【００３２】
特典付与手段（判断手段）２６０ｅは、歩数計５００から送信されるエクササイズデータ（例えば歩数＝5000歩）や特典情報データベース（第４記憶手段）２５０に登録されている特典付与の条件をあらわす情報（以下、付与条件情報）などに基づき、当該ユーザは特典付与の対象となっているか否かを判断するとともに、特典付与の対象となっている場合には特典付与の内容をあらす特典付与情報を生成する。図５は、特典付与情報を例示した図である。図５に示すように、特典付与情報は、例えば特定のレストランの割引クーポンである。なお、このクーポン内容は、例えば連続して目標（例えば1日＝5000歩）を達成することでグレードアップさせる一方、連続して最低目標（例えば１日＝2000歩）を達成しない場合にはグレードダウンさせても良い。さらに、ユーザの個人情報に含まれる住所を参照し、登録されている複数のレストランのクーポンの中からユーザの住所の周辺に位置するレストランのクーポンを抽出し、これを特典付与情報としてユーザに提供しても良い。また、付与条件情報は、ユーザが適宜設定しても良いが、例えばユーザの性別、年齢などに応じて予め設定してもよい。もちろん、付与条件情報は固定的である必要はなく、適宜変更しても良い。
【００３３】
（２）実施形態の動作
以下、あるユーザが健康管理支援システム１００を利用する場合の動作について図面を参照しながら説明する。
＜登録チェック処理＞
図６は、リーダ・ライタ４００による登録チェック処理を示すフローチャートである。
歩数計５００を所持するユーザは、会社の食堂の出口付近などに設置されているリーダ・ライタ４００に歩数計５００をかざす。リーダ・ライタ４００は、通信可能エリアに歩数計５００があることを確認すると（ステップ１１０）、歩数計５００に対してカード識別ＩＤを要求する（ステップＳ１２０）。歩数計５００のＩＣカードチップ５５０は、メモリ５５０ａに格納されているカード識別ＩＤを読み出し、これをリーダ・ライタ４００に返信する。リーダ・ライタ４００は、歩数計５００からカード識別ＩＤを受信すると、管理サーバ２００に対してカード識別ＩＤが登録されているか否かのチェック要求を行う（ステップＳ１３０）。管理サーバ２００の会員登録管理手段２６０ａは、受信したチェック要求に基づいて、受け取ったカード識別ＩＤが会員情報データベース２１０に登録されているか否かを判断する。ここで、会員登録済みである場合には、カード識別ＩＤとユーザの個人情報（ユーザＩＤ、生年月日など）が会員情報データベース２１０に対応づけて登録されているが、会員未登録である場合には、これらの情報は登録されていない。会員登録管理手段２６０ａは、受け取ったカード識別ＩＤが会員情報データベース２１０に登録されているか否を判断し、判断結果をリーダ・ライタ４００に返信する。
【００３４】
リーダ・ライタ４００は、管理サーバ２００から返信される判断結果に基づき、既登録であるか、未登録であるかを判断する。リーダ・ライタ４００は、歩数計５００のカード識別ＩＤが登録されていないと判断すると、例えば初期設定入力を促す画面（初期設定入力画面）を表示装置（図示略）に表示し（図７ａ→図７ｂ参照）、初期設定入力処理を行う（ステップＳ１４０）。ユーザは、初期設定入力画面の指示に従って操作ボタン等（図示略）を操作することにより、ユーザＩＤ、生年月日等を入力する。リーダ・ライタ４００は、初期設定に必要な情報（すなわち、ユーザＩＤや生年月日等；以下、初期設定情報）が入力されたことを検知すると、これを管理サーバ２００に送信する。管理サーバ２００は、リーダ・ライタ４００から初期設定情報を受信すると、上述したカード識別ＩＤとともにユーザＩＤ、生年月日等を含む初期設定情報を会員情報データベース２１０に対応づけて登録する。登録が終了すると、管理サーバ２００は、リーダ・ライタ４００に登録が終了した旨を通知する。リーダ・ライタ４００は、管理サーバ２００から正常に登録が終了した旨の通知を受け取ると、登録が終了した旨をユーザに報知し（図７ｃ参照）、処理を終了する。
【００３５】
一方、リーダ・ライタ４００は、ステップＳ１３０において、カード識別ＩＤが既登録であると判断すると、ユーザＩＤと生年月日の入力をユーザに促し、認証処理を開始する（ステップＳ１５０→ステップＳ１６０）。詳述すると、リーダ・ライタ４００は、既登録カード識別ＩＤに対応づけて会員情報データベース２１０に登録されているユーザＩＤと生年月日が、入力されるユーザＩＤと生年月日と一致しているか否かを判断する（あるいは管理サーバ２００に対して問い合わせを行う）。リーダ・ライタ４００は、両ユーザＩＤ等が一致していることから、認証成立と判断すると（ステップＳ１６０；ＹＥＳ）、図８に示すサービス処理を実行する。一方、リーダ・ライタ４００は、両ユーザＩＤ等が一致しておらず、認証不成立と判断すると（ステップＳ１６０；ＮＯ）、認証エラーをあわわす画面を表示装置に表示し（図７ｄ参照；ステップＳ１７０）、処理を終了する。
【００３６】
＜サービス処理＞
図８は、サービス処理のシーケンス図である。
認証に成功すると、リーダ・ライタ４００は、歩数計５００から歩数データなどを含む歩数に関連するエクササイズデータを受信し（ステップＳ２１０）、これを管理サーバ２００へ送信する（ステップＳ２２０）。管理サーバ２００は、リーダ・ライタ４００からエクササイズデータを受信すると、このエクササイズデータをカード識別ＩＤに対応づけて会員情報データベース２１０に登録する（ステップＳ２３０）。
【００３７】
そして、管理サーバ２００は、商品情報データベース２２０から本日の昼食メニュー情報を取得し、リーダ・ライタ４００に返信する（ステップＳ２４０）。リーダ・ライタ４００は、昼食メニュー情報を受け取ると、まずはユーザが食べた料理のジャンルの選択を促す画面（ジャンル選択画面）を表示装置に表示する（図９ａ参照；ステップＳ２５０）。ユーザによって料理のジャンルが選択されると、リーダ・ライタ４００は、選択されたジャンルに属する複数の昼食メニューの中から、実際に食べた昼食メニューの選択を促す画面（メニュー選択画面）を表示装置に表示する（図９ｂ参照；ステップＳ２６０）。ユーザによって昼食メニューが選択されると、リーダ・ライタ４００は、ユーザによって選択された料理のジャンル、昼食メニューを含む昼食メニュー選択関連情報を管理サーバ２００に送信する（ステップＳ２７０）。
【００３８】
管理サーバ２００は、昼食メニュー選択関連情報を受信すると、運動支援情報の作成を行う（ステップＳ２８０）。詳述すると、管理サーバ２００は、昼食メニュー選択関連情報に含まれる昼食メニューと、メニュー情報データベース２２０に登録されている昼食メニュー情報など参照することで、ユーザが昼食に摂取した栄養素、カロリーなどを計算する。さらに、管理サーバ２００は、会員情報データベース２１０から当該ユーザの年齢、性別、身長、体重などの個人情報を取得するとともに、運動支援情報データベース２３０に登録されている運動ガイドライン情報（例えば、年齢、性別、身長、体重などに応じた運動アドバイスを示す情報）を参照することで、上述した運動支援情報を作成する。そして、管理サーバ（報知手段）２００は、作成した運動支援情報をリーダ・ライタ４００に返信する（ステップＳ２９０）。リーダ・ライタ４００は、管理サーバ２００から運動支援情報を受信すると、これを表示装置に表示する（ステップＳ３００）。
【００３９】
なお、運動支援情報を作成する際には、今回、歩数計５００から受信したエクササイズデータ、昼食メニュー選択関連情報を利用するだけでなく、エクササイズデータの履歴情報（例えば、過去１ヶ月間のエクササイズデータ）や昼食メニュー選択関連情報の履歴情報（例えば、過去１ヶ月間の昼食メニュー選択関連情報）など、様々な情報を利用してもよい。
【００４０】
一方、管理サーバ２００は、上述した運動支援情報の作成と並行して、おすすめレシピ情報の作成を行う（ステップＳ３１０）。詳述すると、管理サーバ２００は、昼食メニュー選択関連情報に含まれる昼食メニューと、メニュー情報データベース２２０に登録されている昼食メニュー情報など参照することで、ユーザが昼食に摂取した栄養素、カロリーなどを計算するとともに、受信したエクササイズデータをもとに本日の消費カロリーなどを計算する。管理サーバ２００は、このようにして計算した摂取カロリーや消費カロリー、さらにはレシピデータベース２４０に登録されているレシピ情報などを参照し、おすすめレシピ情報を作成する。そして、管理サーバ（報知手段）２００は、おすすめレシピ情報をリーダ・ライタ４００に返信するとともに、会員情報データベース２１０から情報配信先アドレス（例えば、自身の携帯電話や妻の携帯電話など）を読み出し、これら情報配信先アドレス宛におすすめレシピ情報を送信する（ステップＳ３２０）。リーダ・ライタ４００は、管理サーバ２００からおすすめレシピ情報を受信すると、これを表示装置に表示する（図１０参照；ステップＳ３３０）。
【００４１】
なお、おすすめレシピ情報を作成する際も、運動支援情報を作成する際と同様、エクササイズデータの履歴情報（例えば、過去１ヶ月間のエクササイズデータ）や昼食メニュー選択関連情報の履歴情報（例えば、過去１ヶ月間の昼食メニュー選択関連情報）など、様々な情報を利用しても良い。
【００４２】
一方、管理サーバ２００は、上述したおすすめレシピ情報の作成と並行して、当該ユーザに特典を付与すべきか否かの判断を行う（ステップＳ３４０）。詳述すると、管理サーバ２００は、特典情報データベース２５０に登録されている付与条件情報を参照し、当該ユーザは特典付与の対象となっているか否かを判断する。例えば、付与条件情報として「１日
5000歩以上」という条件が設定されている場合、管理サーバ２００は、エクササイズデータに含まれる歩数情報に示される歩数が5000歩以上であるか否かを判断する。管理サーバ２００は、付与条件情報を満たしていると判断すると（ステップＳ３４０；ＹＥＳ）、特典情報データベース２５０に登録されている特典付与情報（例えば、特定のレストランの割引クーポンを読み出し（あるいは作成し）、これをリーダ・ライタ４００に返信するとともに、会員情報データベース２１０から情報配信先アドレス（例えば、自身の携帯電話や妻の携帯電話など）を読み出し、これら情報配信先アドレス宛に特典付与情報を送信する（ステップＳ３５０）。リーダ・ライタ４００は、管理サーバ２００から特典付与情報を受信すると、これを表示装置に表示し（ステップＳ３６０）、以上説明したサービス処理を終了する。
【００４３】
以上説明したように、本実施形態によれば、単にユーザの個人情報に基づいて運動メニュー（運動支援情報）を提供するだけでなく、摂取カロリーや消費カロリーなどに基づいておすすめレシピ情報の提供などを行う。これにより、栄養バランスの偏った食生活が明らかとなれば、このような食生活を正すようなおすすめレシピ情報がユーザに提供されるため、真に健康な体作りを支援することが可能となる。
【００４４】
加えて、管理サーバ２００は、これら運動支援情報やおすすめレシピ情報だけでなく、歩数計によって測定されたユーザの歩数が目標歩数（または運動量など）に達していれば、レストランの割引クーポンなどの特典付与情報が送信される。このような特典が与えられることで、ユーザは運動に対するモチベーションをより一層向上させることが可能となる。
【００４５】
さらに、おすすめレシピ情報や特典付与情報などは、ユーザが予め登録した情報配信先アドレスに送信される。例えば、ユーザが妻帯者であれば、情報配信先アドレスとして妻の携帯電話のアドレスを指定しておくことで、おすすめレシピ情報を妻にも知らせることができ、有用な情報を共有することができる。
【００４６】
Ｂ．変形例
＜変形例１＞
上述した本実施形態では、ユーザの運動量を計測する機器として歩数計を例示したが、これに限定する趣旨でないのは勿論である。例えば歩数計と同様の機能を備えた各種の携帯端末（携帯電話など）にも適用可能である。
【００４７】
＜変形例２＞
上述した本実施形態では、管理サーバ２００が運動支援情報、おすすめレシピ情報、特典付与情報をユーザに提供する場合について説明したが、これらに加えて当該ユーザの今日の運勢やバイオリズム、健康占いなどのコンテンツをユーザに提供しても良い。この場合、例えば会員情報データベース２１０に登録されている当該ユーザの個人情報（例えば、生年月日、体重、最新のエクササイズデータなど）をコンテンツ内容に反映させるようにしても良い。
【００４８】
＜変形例３＞
また、管理サーバ２００からリーダ・ライタ４００に提供される各種の情報（すなわち、運動支援情報、おすすめレシピ情報、特典付与情報）について、少なくとも一部の情報をリーダ・ライタ４００から当該ユーザの歩数計５００に送信するようにしても良い。なお、いずれの情報を送信するかは、システムの設計などに応じて適宜設定・変更可能である。
【００４９】
＜変形例４＞
また、上述した本実施形態では、伸長、体重、住所、情報配信先アドレス（例えば自身の携帯電話や妻の携帯電話など）の個人情報について、ＰＣ６００を利用して登録したが、例えばユーザの携帯電話などを利用して登録しても良いのは勿論である。
【００５０】
なお、本実施形態および各変形例において示した各処理のステップは処理内容に矛盾を生じない範囲で任意に順番を変更して又は並列に実行することができる。さらに本明細書等において、手段とは、単に物理的手段を意味するものではなく、その手段が有する機能をソフトウェアによって実現する場合も含む。さらにまた、１つの手段が有する機能が２つ以上の物理的手段により実現されても、２つ以上の手段の機能が１つの物理的手段により実現されてもよい。また、本発明に係るソフトウェアの開発支援プログラムは、ＣＤ−ＲＯＭやＤＶＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【符号の説明】
【００５１】
１００…健康管理支援システム、２００…管理サーバ、２１０…会員情報データベース、２２０…メニュー情報データベース、２３０…運動支援情報データベース、２４０…レシピデータベース、２５０…特典付与データベース、２６０ａ…会員登録・管理手段、２６０ｂ…商品メニュー管理手段、２６０ｃ…運動支援情報作成手段、２６０ｄ…レシピ情報作成手段、２６０ｅ…特典付与手段、２６０ｆ…情報制御手段、３００…通信ネットワーク、４００…リーダ・ライタ、５００…歩数計、５１０…ＣＰＵ、５２０…ＲＯＭ、５３０…ＲＡＭ、５４０…加速度センサ、５５０…ＩＣカードチップ、５６０…表示装置、５７０…通信制御部、５８０…操作部。
【図１】
2012073872.tif 000003
【図２】
2012073872.tif 000004
【図３】
2012073872.tif 000005
【図４】
2012073872.tif 000006
【図５】
2012073872.tif 000007
【図６】
2012073872.tif 000008
【図７ａ】
2012073872.tif 000009
【図７ｂ】
2012073872.tif 000010
【図７ｃ】
2012073872.tif 000011
【図７ｄ】
2012073872.tif 000012
【図８】
2012073872.tif 000013
【図９ａ】
2012073872.tif 000014
【図９ｂ】
2012073872.tif 000015
【図１０】
2012073872.tif 000016